(57)【要約】【課題】光ファイバを伝搬する上りと下りの光信号の波長や偏光状態が一致して光信号波形が乱れても、光信号の信号状態を正確に検出する。【解決手段】光ファイバ２０１を双方向に伝搬する光信号Ｐは、双方の光信号Ｐの波長や偏光状態が一致すると波形が劣化する。そこで、光信号Ｐを受光器２０２にて電気信号Ｅに変換する。微分検出回路２０４により、電気信号Ｅを微分して微分検出信号Ｄを得て、この微分検出信号Ｄの立ち上がり波形と立ち下がり波形から信号状態を検出する。また、閾値検出回路２０３により、電気信号Ｅを閾値演算処理して閾値検出信号Ｓを得て、この閾値検出信号Ｓから信号状態を検出する。更に、微分検出回路２０４で得た信号状態と、閾値検出回路２０３で得た信号状態の一致・不一致を比較回路２０５にて判定し、不一致の際には誤判定であるとする。【選択図】        図２
2004193919.tif 000002
【特許請求の範囲】
【請求項１】
伝送されてきたＮＲＺ（ｎｏｎ  ｒｅｔｕｒｎ  ｔｏ  ｚｅｒｏ）符号形式の光信号の信号状態を検出する受信方法であって、
前記光信号を電気信号に変換し、
前記電気信号を微分演算することにより、前記電気信号の立ち上がりと立ち下がりに対応して立ち上がり波形と立ち下がり波形が発生する微分検出信号を求め、
この微分検出信号の立ち上がり波形と立ち下がり波形を基に信号状態を検出することを特徴とする微分型受信方法。
【請求項２】
請求項１において、
前記微分検出信号の立ち上がり波形と立ち下がり波形が交互に検出される状態を正常と判定し、前記微分検出信号の立ち上がり波形と立ち下がり波形が２つ以上連続して検出される状態を異常と判定することを特徴とする微分型受信方法。
【請求項３】
伝送されてきたＮＲＺ（ｎｏｎ  ｒｅｔｕｒｎ  ｔｏ  ｚｅｒｏ）符号形式の光信号の信号状態を検出する受信方法であって、
前記光信号を電気信号に変換し、
前記電気信号を微分演算することにより、前記電気信号の立ち上がりと立ち下がりに対応して立ち上がり波形と立ち下がり波形が発生する微分検出信号を求め、
この微分検出信号の立ち上がり波形と立ち下がり波形を基に信号状態を検出すると共に、
前記電気信号の１レベルと０レベルのほぼ中間のレベルとなっている閾値によって前記電気信号を１レベルと０レベルに振り分ける振り分け演算をして閾値検出信号を求め、
この閾値検出信号のレベルを基に信号状態を検出し、
前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定することを特徴とする微分型受信方法。
【請求項４】
伝送されてきたＮＲＺ（ｎｏｎ  ｒｅｔｕｒｎ  ｔｏ  ｚｅｒｏ）符号形式の光信号の信号状態を検出する受信方法であって、
前記光信号を電気信号に変換し、
前記電気信号を微分演算することにより、前記電気信号の立ち上がりと立ち下がりに対応して立ち上がり波形と立ち下がり波形が発生する微分検出信号を求め、
この微分検出信号の立ち上がり波形と立ち下がり波形を基に信号状態を検出すると共に、
前記電気信号の１レベルと０レベルのほぼ中間のレベルとなっている閾値によって前記電気信号を１レベルと０レベルに振り分ける振り分け演算をして閾値検出信号を求め、
この閾値検出信号のレベルを基に信号状態を検出し、
前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定し、
異常検出状態であると判定したときには、前記微分信号を基に検出した信号状態と、前記閾値検出信号を基に検出した信号状態が一致するように、伝送されてくる光信号の偏光状態を調整することを特徴とする微分型受信方法。
【請求項５】
伝送されてきたＮＲＺ（ｎｏｎ  ｒｅｔｕｒｎ  ｔｏ  ｚｅｒｏ）符号形式の光信号の信号状態を検出する受信器であって、
前記光信号を電気信号に変換する受光器と、
前記電気信号を微分演算することにより、前記電気信号の立ち上がりと立ち下がりに対応して立ち上がり波形と立ち下がり波形が発生する微分検出信号を求める微分検出回路とを備え、
前記微分検出信号の立ち上がり波形と立ち下がり波形を基に信号状態を検出することを特徴とする微分型受信器。
【請求項６】
伝送されてきたＮＲＺ（ｎｏｎ  ｒｅｔｕｒｎ  ｔｏ  ｚｅｒｏ）符号形式の光信号の信号状態を検出する受信器であって、
前記光信号を電気信号に変換する受光器と、
前記電気信号を微分演算することにより、前記電気信号の立ち上がりと立ち下がりに対応して立ち上がり波形と立ち下がり波形が発生する微分検出信号を求める微分検出回路と、
前記電気信号の１レベルと０レベルのほぼ中間のレベルとなっている閾値によって前記電気信号を１レベルと０レベルに振り分ける振り分け演算をして閾値検出信号を求める閾値検出回路と、
前記微分検出信号の立ち上がり波形と立ち下がり波形を基に信号状態を検出すると共に、前記閾値検出信号のレベルを基に信号状態を検出し、更に、前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定する比較回路とを有することを特徴とする微分型受信器。
【請求項７】
伝送されてきたＮＲＺ（ｎｏｎ  ｒｅｔｕｒｎ  ｔｏ  ｚｅｒｏ）符号形式の光信号の信号状態を検出する受信器と、伝送される光信号の偏光状態を調整する偏波ローテーターとを備えた光信号伝送装置であって、
前記受信器は、
前記光信号を電気信号に変換する受光器と、
前記電気信号を微分演算することにより、前記電気信号の立ち上がりと立ち下がりに対応して立ち上がり波形と立ち下がり波形が発生する微分検出信号を求める微分検出回路と、
前記電気信号の１レベルと０レベルのほぼ中間のレベルとなっている閾値によって前記電気信号を１レベルと０レベルに振り分ける振り分け演算をして閾値検出信号を求める閾値検出回路と、
前記微分検出信号の立ち上がり波形と立ち下がり波形を基に信号状態を検出すると共に、前記閾値検出信号のレベルを基に信号状態を検出し、更に、前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定する比較回路とを有し、
前記偏波ローテーターは、前記比較回路が異常検出状態であると判定したときには、前記微分信号を基に検出した信号状態と、前記閾値検出信号を基に検出した信号状態が一致するように、伝送されてくる光信号の偏光状態を調整することを特徴とする光信号伝送装置。
【発明の詳細な説明】
【０００１】
【発明の属する技術分野】
本発明は、微分型受信方法及び微分型受信器ならびに光信号伝送装置に関するものである。かかる本発明は、光ファイバを伝搬する高速光通信、光交換、光情報処理等の光伝送システムに適用され、特に１本の光ファイバを上り，下りの双方向で使用する双方向光伝送システムや反射型光伝送システムの受信回路に適用して有効な技術である。
【０００２】
【従来の技術】
ＩＴ技術の発展に伴う伝送容量の増加に伴い、光ファイバの伝送帯域を有効に利用することが重要になっている。図５に示す双方向光伝送システム１０００は、１本の光ファイバを上り，下りの双方向で使用することで光ファイバの使用効率を上げる方式であり、１００１，１００２は受信器、１００３，１００４は送信器、１００５，１００６は光カプラ、１００７は光ファイバである。ここで光信号Ｐは送信器１００３→光カプラ１００５→光ファイバ１００７→光カプラ１００６→受信器１００２の右方向と、送信器１００４→光カプラ１００６→光ファイバ１００７→光カプラ１００５→受信器１００１の左方向の両方向を伝送する。
【０００３】
ここで問題になるのが両方向を伝送する光信号Ｐが光ファイバ１００７で引き起こす干渉である。
【０００４】
一般に双方の光信号Ｐの波長が異なる場合、あるいは偏光方向が異なる場合には図６に示すようにきれいな、すなわち信号の０レベル，１レベルともに変動しないような波形を受信することができる。通常、受信をするためには０レベルと１レベルのほぼ中間点に閾値点を設け、閾値を越えれば１、閾値を下回っていれば０と判定する。
【０００５】
しかしながら双方の光信号の波長が同じで、かつ偏光方向が一致した場合には、いずれかの光信号Ｐの一部が光ファイバのレイリー散乱によって反射され、その反射光ともう一方の光信号Ｐが干渉することで受信波形が乱れるようになる。この干渉の影響は特に１レベルに顕著で、図７に示すように１レベルが太くなるように見える。つまり、図７において黒塗りして示す信号レベル幅において、１レベルが変動してしまう。その結果、閾値検出を行う際、１レベルが０と判定されやすくなる問題があった。
【０００６】
同様なシステムとして、図８に示す反射型光伝送システム１３００がある。図８において１３０１はＣＷ光源（連続光光源）、１３０２は光カプラ、１３０３は光ファイバ、１３０４は反射型の光増幅器または反射型の光変調器、１３０５は反射型光増幅器（または反射型光変調器）１３０４の制御回路、１３０６は受信器である。
【０００７】
このシステムは局側におかれたＣＷ光源１３０１からユーザにＣＷ光を送り、ユーザはこのＣＷ光を変調のうえ送り返す構成になっており、ＣＷ光はＣＷ光源１３０１→光カプラ１３０２→光ファイバ１３０３→反射型光増幅器（反射型光変調器）１３０４と進んだところで反射型光増幅器（反射型光変調器）１３０４によって変調され、変調された変調光（光信号）Ｐは反射型光増幅器（反射型光変調器）１３０４の端面で反射されて反射型光増幅器（反射型光変調器）１３０４→光ファイバ１３０３→光カプラ１３０２→受信器１３０６と戻ってくる。
【０００８】
ここで行きのＣＷ光と帰りの変調光Ｐは同じ波長であるので、もし双方の偏向状態が一致した場合には図７に示すように、受信波形が乱れてしまう問題があった。
【０００９】
このように、行きと帰りの光信号の波長が同じで、かつ、偏光方向が一致している場合には、受信波形が乱れてしまうことは、従来から知られていた（例えば非特許文献１参照）。
【００１０】
【非特許文献１】
ＮＯＣ’９９（Ｎｅｔｗｏｒｋｓ  ａｎｄ  Ｏｐｔｉｃａｌ  Ｃｏｍｍｕｎｉｃａｔｉｏｎｓ）    ２７８〜２８３頁
「Ｂｉ−ｄｉｒｅｃｔｉｏｎａｌ  Ｔｒａｎｓｍｉｓｓｉｏｎ  Ｅｘｐｅｒｉｍｅｎｔ  ｕｓｉｎｇ  ａ  ＳｅｍｉｃｏｎｄｕｃｔｏｒＯｐｔｉｃａｌ  Ａｍｐｌｉｆｉｅｒ  Ｔｒａｎｓｃｅｉｖｅｒ  Ｍｏｄｕｌｅ  ｆｏｒ  ＷＤＭ−ＰＯＮ  ａｎｄ  ＷＤＭ−ＬＡＮＡｐｐｌｉｃａｔｉｏｎｓ」
Ｍ．Ｏｋａｙａｓｕ，Ｙ．Ｓｕｚｕｋｉ，Ｎ．Ｙｏｓｈｉｍｏｔｏ，Ｒ．Ｉｇａ，Ｈ．Ｓｕｇｉｕｒａ，ａｎｄ  Ｊ．Ｙｏｓｈｉｄａ
【００１１】
【発明が解決しようとする課題】
上述のように、双方向光伝送システムまたは反射型光伝送システムにおいては、光ファイバを伝搬する上りと下りの光信号の波長や偏向状態が一致したときに干渉が起こり、受信波形が劣化するという問題があった。
【００１２】
本発明は、上記従来技術に鑑み、光ファイバを伝搬する上りと下りの光信号の波長や偏向状態が一致したときであっても、受信した光信号波形を正確に検出することができる微分型受信方法及び微分型受信器ならびに光信号伝送装置を提供することを目的とする。
【００１３】
【課題を解決するための手段】
上記の問題を解決する本発明の微分型受信方法の構成は、伝送されてきたＮＲＺ（ｎｏｎ  ｒｅｔｕｒｎ  ｔｏ  ｚｅｒｏ）符号形式の光信号の信号状態を検出する受信方法であって、前記光信号を電気信号に変換し、前記電気信号を微分演算することにより、前記電気信号の立ち上がりと立ち下がりに対応して立ち上がり波形と立ち下がり波形が発生する微分検出信号を求め、この微分検出信号の立ち上がり波形と立ち下がり波形を基に信号状態を検出することを特徴とする。
このとき、前記微分検出信号の立ち上がり波形と立ち下がり波形が交互に検出される状態を正常と判定し、前記微分検出信号の立ち上がり波形と立ち下がり波形が２つ以上連続して検出される状態を異常と判定するようにしてもよい。
【００１４】
また本発明の微分型受信方法の構成は、伝送されてきたＮＲＺ（ｎｏｎ  ｒｅｔｕｒｎ  ｔｏ  ｚｅｒｏ）符号形式の光信号の信号状態を検出する受信方法であって、前記光信号を電気信号に変換し、前記電気信号を微分演算することにより、前記電気信号の立ち上がりと立ち下がりに対応して立ち上がり波形と立ち下がり波形が発生する微分検出信号を求め、この微分検出信号の立ち上がり波形と立ち下がり波形を基に信号状態を検出すると共に、前記電気信号の１レベルと０レベルのほぼ中間のレベルとなっている閾値によって前記電気信号を１レベルと０レベルに振り分ける振り分け演算をして閾値検出信号を求め、この閾値検出信号のレベルを基に信号状態を検出し、前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定することを特徴とする。
【００１５】
また本発明の微分型受信方法の構成は、伝送されてきたＮＲＺ（ｎｏｎ  ｒｅｔｕｒｎ  ｔｏ  ｚｅｒｏ）符号形式の光信号の信号状態を検出する受信方法であって、前記光信号を電気信号に変換し、前記電気信号を微分演算することにより、前記電気信号の立ち上がりと立ち下がりに対応して立ち上がり波形と立ち下がり波形が発生する微分検出信号を求め、この微分検出信号の立ち上がり波形と立ち下がり波形を基に信号状態を検出すると共に、前記電気信号の１レベルと０レベルのほぼ中間のレベルとなっている閾値によって前記電気信号を１レベルと０レベルに振り分ける振り分け演算をして閾値検出信号を求め、この閾値検出信号のレベルを基に信号状態を検出し、前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定し、異常検出状態であると判定したときには、前記微分信号を基に検出した信号状態と、前記閾値検出信号を基に検出した信号状態が一致するように、伝送されてくる光信号の偏光状態を調整することを特徴とする。
【００１６】
また本発明の微分型受信器の構成は、伝送されてきたＮＲＺ（ｎｏｎ  ｒｅｔｕｒｎ  ｔｏ  ｚｅｒｏ）符号形式の光信号の信号状態を検出する受信器であって、前記光信号を電気信号に変換する受光器と、前記電気信号を微分演算することにより、前記電気信号の立ち上がりと立ち下がりに対応して立ち上がり波形と立ち下がり波形が発生する微分検出信号を求める微分検出回路とを備え、前記微分検出信号の立ち上がり波形と立ち下がり波形を基に信号状態を検出することを特徴とする。
【００１７】
また本発明の微分型受信器の構成は、伝送されてきたＮＲＺ（ｎｏｎ  ｒｅｔｕｒｎ  ｔｏ  ｚｅｒｏ）符号形式の光信号の信号状態を検出する受信器であって、前記光信号を電気信号に変換する受光器と、前記電気信号を微分演算することにより、前記電気信号の立ち上がりと立ち下がりに対応して立ち上がり波形と立ち下がり波形が発生する微分検出信号を求める微分検出回路と、前記電気信号の１レベルと０レベルのほぼ中間のレベルとなっている閾値によって前記電気信号を１レベルと０レベルに振り分ける振り分け演算をして閾値検出信号を求める閾値検出回路と、前記微分検出信号の立ち上がり波形と立ち下がり波形を基に信号状態を検出すると共に、前記閾値検出信号のレベルを基に信号状態を検出し、更に、前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定する比較回路とを有することを特徴とする。
【００１８】
また本発明の光信号伝送装置は、伝送されてきたＮＲＺ（ｎｏｎ  ｒｅｔｕｒｎ  ｔｏ  ｚｅｒｏ）符号形式の光信号の信号状態を検出する受信器と、伝送される光信号の偏光状態を調整する偏波ローテーターとを備えた光信号伝送装置であって、
前記受信器は、前記光信号を電気信号に変換する受光器と、前記電気信号を微分演算することにより、前記電気信号の立ち上がりと立ち下がりに対応して立ち上がり波形と立ち下がり波形が発生する微分検出信号を求める微分検出回路と、前記電気信号の１レベルと０レベルのほぼ中間のレベルとなっている閾値によって前記電気信号を１レベルと０レベルに振り分ける振り分け演算をして閾値検出信号を求める閾値検出回路と、前記微分検出信号の立ち上がり波形と立ち下がり波形を基に信号状態を検出すると共に、前記閾値検出信号のレベルを基に信号状態を検出し、更に、前記微分信号を基に検出した信号状態と、前記閾値検出信号を基に検出した信号状態を比較し、両者の検出信号状態が一致しているときには正常検出状態であると判定し、両者の検出信号状態が異なっているときには異常検出状態であると判定する比較回路とを有し、
前記偏波ローテーターは、前記比較回路が異常検出状態であると判定したときには、前記微分信号を基に検出した信号状態と、前記閾値検出信号を基に検出した信号状態が一致するように、伝送されてくる光信号の偏光状態を調整することを特徴とする。
【００１９】
【発明の実施の形態】
以下に本発明の実施の形態を図面に基づき詳細に説明する。
【００２０】
（第１の実施の形態）
図１は本発明の第１の実施の形態を説明する図である。図１（ａ）は、伝送の際に干渉によって劣化したＮＲＺ（ｎｏｎ  ｒｅｔｕｒｎ  ｔｏ  ｚｅｒｏ）符号形式の光信号Ｐを、受光器にて受信して光電変換した電気信号Ｅの波形を示す。
【００２１】
第１の実施の形態では、電気信号Ｅを微分して、図１（ｂ）に示すような、微分検出信号Ｄを求める。微分検出信号Ｄは、電気信号Ｅの立ち上りと立ち下がりに対応して、立ち上がり波形（上に凸となったピーク波形）と立ち下がり波形（下に凸となったピーク波形）を有している。
【００２２】
ここで注目すべきは、干渉により、光信号Ｐの１レベルが劣化して太くなったことに起因して、電気信号Ｅの１レベルが劣化して太くなった場合でも、微分検出信号Ｄの立ち上がり波形及び立ち下がりの波形が細いままで劣化していない点である。したがって、微分検出信号Ｄの立ち上がり点，立ち下がり点を検出することにより、受信した光信号Ｐの信号状態（１または０の信号レベル状態）を正確に検出することができる。
【００２３】
受信された光信号Ｐの符号がＮＲＺ符号であれば、微分検出信号Ｄを求める微分検出回路の出力部にフリップフロップ型の電子回路を設けることによって、図６に示す光信号Ｐの波形を再生することができる。
【００２４】
（第２の実施の形態）
微分検出回路の問題は、ひとつの立ち上がり点もしくは立ち下がり点を誤って判定してしまうと、その後の連続した数ビットを全て誤って判定してしまう点である。第２の実施の形態ではこの問題点を解決するため、微分検出回路の結果をモニタして、正常検出しているか誤検出しているかを判定する。
すなわち、立ち上がり点と立ち下がり点が交互に検出されるときを正常状態と判定する。一方で立ち上がり点もしくは立ち下がり点が２つ以上連続して検出される場合にはエラーと判定し、送信側に再送を要求する。
【００２５】
（第３の実施の形態）
図２は第３の実施の形態である微分型受信器２００を説明する図であって、２０１は光ファイバ、２０２は受光器、２０３は閾値検出回路、２０４は微分検出回路、２０５は比較回路である。
【００２６】
ＮＲＺ符号形式の光信号Ｐは光ファイバ２０１を伝送してきて受光器２０２にて受光され、更に光電変換されて電気信号Ｅとなる。電気信号Ｅの信号状態（１または０の信号レベル状態）は、受光した光信号Ｐと一致している。
【００２７】
閾値検出回路２０３は、電気信号Ｅの１レベルと０レベルのほぼ中間のレベルとなっている閾値によって、電気信号Ｅを１レベル（閾値よりも大きい場合）と０レベル（閾値よりも小さい場合）とに振り分ける振り分け演算をして閾値検出信号Ｓを得る。そして、閾値検出信号Ｓの信号レベル状態を基に、光信号Ｐの信号状態を検出することができる。
【００２８】
また微分検出回路２０４は、電気信号Ｅを微分演算することにより、電気信号の立ち上がりと立ち下がりに対応した立ち上がり波形と立ち下がり波形を有する微分信号Ｄを得る。そして、微分信号Ｄの立ち上がり点と立ち下がり点を検出することにより、光信号Ｐの信号状態を検出することができる。
【００２９】
つまり、図２に示す微分型受信器２００では、光信号Ｐを２つの方法、１つは閾値検出回路２０３による通常の閾値検出、もう一つは微分検出回路２０４による微分検出により、検出している。
【００３０】
更に、比較回路２０５は閾値検出回路２０３と微分検出回路２０４の両方の受信結果を比較する。両者の結果が等しい場合には、判定結果が正しいものと判断することができる。この結果は、どちらか一方の検出しか行わなかった場合に比べ、より精度の向上をはかれる。また両者の判定結果が食い違う場合には、送信側に再送を要求する。
【００３１】
（第４の実施の形態）
図３は第４の実施の形態にかかる光信号伝送装置を組み込んだ双方向光伝送システム３００を示す。同図において、３０１，３０２は受信器、３０３，３０４は送信器、３０５，３０６は光カプラ、３０７は光ファイバ、３０８は偏波ローテーターである。受信器３０１，３０２としては、図２に示す微分型受信器２００を用いている。
このため、受信器３０１，３０２と、偏波ローテーター３０８により、第４の実施の形態に係る光信号伝送装置が構成されている。
【００３２】
ここで受信器３０１，３０２における閾値検出と微分検出の結果が異なる場合には、信号波形が図７のように干渉が生じている、すなわち上り，下りの光信号Ｐの偏向状態が一致している状態にあると判断することができる。
【００３３】
このときに偏波ローテーター３０８を閾値検出と微分検出の結果が一致するように調整することで光信号Ｐの偏向状態を変え、図６に示すような干渉がない受信波形を得ることができる。
【００３４】
なお図３においては偏波ローテーター３０８を送信器３０４の直後に設けたが、光ファイバ３０７の途中に設けても構わない。
【００３５】
図４は第４の実施の形態にかかる光信号伝送装置を組み込んだ反射型光伝送システム３２０を示す。同図において、３０９はＣＷ光源（連続光光源）、３１０は偏波ローテーター、３１１は光カプラ、３１２は光ファイバ、３１３は反射型光増幅器（または反射型光変調器）、３１４は反射型光増幅器（または反射型光変調器）３１３の制御回路、３１５は受信器である。受信器３１５としては、図２に示す微分型受信器２００を用いている。
このため、受信器３１５と、偏波ローテーター３１０により、第４の実施の形態に係る光信号伝送装置が構成されている。
【００３６】
ここで受信器３１５における閾値検出と微分検出の結果が異なる場合には、信号波形が図７のように干渉が生じている、すなわち上り，下りの光信号Ｐの偏向状態が一致している状態にあると判断することができる。
【００３７】
このときに偏波ローテーター３１０を閾値検出と微分検出の結果が一致するように調整することで光信号の偏向状態を変え、図６に示すような干渉がない受信波形を得ることができる。
【００３８】
なお図４においては偏波ローテーター３１０を送信器３０９の直後に設けたが、光ファイバ３１２の途中に設けても構わない。
【００３９】
【発明の効果】
以上説明したように、本発明の微分型受信方法，微分型受信器を用いれば、双方向光伝送システムまたは反射型光伝送システムにおいて、光ファイバを伝搬する上りと下りの光信号の波長や偏向状態が一致して干渉が起こり、受信した光信号の波形が劣化しても、光信号の信号状態を正確に検出することができる。
【００４０】
また本発明の光信号伝送装置を用いれば、光ファイバを伝搬する上りと下りの光信号の偏向状態が一致したときに、この偏光一致状態から脱するように偏光状態を調整するため、受信する光信号の波形劣化そのものを低減することができ、光信号の信号状態を正確に検出することができる。
【図面の簡単な説明】
【図１】本発明の第１の実施の形態を説明する信号波形図である。
【図２】本発明の実施例に係る微分型受信器を示す構成図である。
【図３】本発明を適用した双方向光伝送システムを示す構成図である。
【図４】本発明を適用した反射型光伝送システムを示す構成図である。
【図５】従来の双方向光伝送システムを示す構成図である。
【図６】きれいな受信波形を示す波形図である。
【図７】乱れた受信波形を示す波形図である。
【図８】従来の反射型光伝送システムを示す構成図である。
【符号の説明】
２００  微分型受信器
２０１  光ファイバ
２０２  受光器
２０３  閾値検出回路
２０４  微分検出回路
２０５  比較回路
３００  双方向光伝送システム
３０１，３０２  受信器
３０３，３０４  送信器
３０５，３０６  光カプラ
３０７  光ファイバ
３０８  偏波ローテーター
３０９  ＣＷ光源
３１０  偏波ローテーター
３１１  光カプラ
３１２  光ファイバ
３１３  反射型光増幅器（反射型光変調器）
３１４  制御回路
Ｐ  光信号
Ｅ  電気信号
Ｄ  微分検出信号
Ｓ  閾値検出信号
【図１】
2004193919.tif 000003
【図２】
2004193919.tif 000004
【図３】
2004193919.tif 000005
【図４】
2004193919.tif 000006
【図５】
2004193919.tif 000007
【図６】
2004193919.tif 000008
【図７】
2004193919.tif 000009
【図８】
2004193919.tif 000010